(57)【要約】      （修正有）【課題】脚柱取付部の基板に対する接続性能を向上させ、万一脚柱取付部と基板との間の接続状態に不良が生じた場合でも、椅子に座る人の安全を図ることができる椅子の脚部構造を提供する。【解決手段】椅子の脚部構造は、椅子の脚柱１５の下端を上部より内挿し、支持可能とする脚柱取付部１４を備える。脚柱取付部１４は全体平板状からなる基板１２の上面中心部に立設状態で支持され、基板１２は、床面１３に対して植設ボルト１７を用いて植設し、支持される。ここで脚柱取付部１４は円筒管材の下端部周部を外方に張り出すようにして形成されるフランジ部が備えられる。また基板１２には脚柱取付部１４の上方の円筒管材部分を下方より内挿可能とする挿通孔１９が備えられ、挿通孔１９の周部と脚柱取付部１４のフランジ部の部分は相互に溶着する状態で接続される。【選択図】図５
0003155814.tif 000002
【実用新案登録請求の範囲】
【請求項１】
周部下面を床面に密接させ、支持するように取着可能とされ、中心部に全体円筒状からなり、円柱状からなる椅子の脚柱の下端を上部より内挿し、支持可能とする脚柱取付部を、立設状態で支持する全体平板状からなる基板を備えた椅子の脚部構造において、
全体円筒状からなる脚柱取付部は、円筒管材の下端部の周部を外方に張り出すようにして形成されるフランジ部が備えられ、一方全体平板状からなる基板は、中心部に前記脚柱取付部の上方の円筒管材部分を下方より内挿可能とする挿通孔を備え、さらに下面における挿通孔の周部は、挿通孔に挿通された脚柱取付部の円筒管材部分の下端部に形成されたフランジ部を嵌入可能とし、床面に対して密接させ、支持可能とされる周部よりも上方に窪ませた状態からなる段部を形成し、該段部において脚柱取付部と基板とを溶着する状態で脚柱取付部を基盤に支持させてなる脚部の取付構造。
【考案の詳細な説明】
【技術分野】
【０００１】
本考案は、パチンコ、スロットマシン等の遊技機の前面側の床面に支持され、周部下面を床面に密接させ、支持するように取着可能とされ、中心部に全体円筒状からなり、円柱状からなる椅子の脚柱の下端を上部より内挿し、支持可能とする脚柱取付部を、立設状態で支持する全体平板状からなる基板を備えた椅子の脚部構造に関する。
【背景技術】
【０００２】
遊技場において、パチンコ、スロットマシン等、遊技機の前面側に配置される椅子は、床面に対して回動可能に支持され、しかもむやみに床面に対して移動できないよう支持するのが一般である。
【０００３】
しかし、清掃時や遊技機の交換時などにおいては、椅子を床面から取外したい場合があり、このような要請から遊技場等に設置される椅子は、予め床面に植設状態で支持される基板の中心部に備えられ、全体円筒状からなり、基板に対して立設状態で備えられる脚柱取付部に対して、脚柱の下端を上部より内挿し、支持させるようにしている。
【先行技術文献】
【特許文献】
【０００４】
【特許文献１】特開２００３−２５１０６１号公報
【０００５】
例えば、図６に示すような遊技場の床面に支持される従来の椅子１は、図７に示すように全体平板状からなる円板状の基板２を床面に植設し、支持させてなり、この基板３の上面中心部に立設状態で支持させる脚柱取付部４に対し、椅子１の下面に備えられる脚柱５の下端を上部より内挿し、支持させるようにしていた。
【０００６】
ここで、全体円板状をなす基板２は、周部下面を床面３に密着させるとともに、該周部に形成されたボルト挿通孔６に植設ボルト７を挿通し、該ボルト７を床面３に螺着し、支持させるようにしていた（図８参照）。脚柱取付部４は、平面円形をなす基板２の中心部上面に立設される全体円筒形状からなり、外周部の下端周縁部を基板２の上面に対し、密着させて支持するようにしている。
【０００７】
一方、椅子１は下面の部分に、図６あるいは図７に示すように、全体円柱形状の脚柱５を接続し、支持させてなり、椅子１は脚柱５に対し、矢印θ方向に回動可能に接続させている（図６参照）。この円柱状からなる脚柱５の下端は、矢印Ａに示すように床面３に支持された基板２の脚柱取付部４に対し内挿し、支持可能とされる（図７参照）。
【０００８】
そして清掃時や遊技機の入替時などにおいて、椅子１を取外したい場合は、図７の矢印Ａに示すように椅子１の脚柱５を脚柱取付部４から取外すようにし、行っていた。
【０００９】
ところで、このようにして構成される従来の椅子の取付構造において、椅子に座る人が立ったり座ったりしたり、遊技中において動くと、矢印Ｂ方向の力が脚柱取付部４に加わり、この場合に基板２と脚柱取付部４の接続部分である溶着部分８に、応力集中が生じ易いものとされていた（図８参照）。この場合において、溶着部分８に溶接不良が存在すると、座っている人が床面３に転がる事故が懸念されていた。
【考案の概要】
【考案が解決しようとする課題】
【００１０】
本考案はこのような従来の懸念に基づき、なされたものであり、脚柱取付部の基板に対する接続性能を向上させ、万一脚柱取付部と基板との間の接続状態に不良が生じた場合でも、椅子に座る人の安全を図ることを目的とするものである。
【課題を解決するための手段】
【００１１】
上記目的を達成するため、本考案は、周部下面を床面に密接させ、支持するように取着可能とされ、中心部に全体円筒状からなり、円柱状からなる椅子の脚柱の下端を上部より内挿し、支持可能とする脚柱取付部を、立設状態で支持する全体平板状からなる基板を備えた椅子の脚部構造において、全体円筒状からなる脚柱取付部は、円筒管材の下端部の周部を外方に張り出すようにして形成されるフランジ部が備えられ、一方全体平板状からなる基板は、中心部に前記脚柱取付部の上方の円筒管材部分を下方より内挿可能とする挿通孔を備え、さらに下面における挿通孔の周部は、挿通孔に挿通された脚柱取付部の円筒管材部分の下端部に形成されたフランジ部を嵌入可能とし、床面に対して密接させ、支持可能とされる周部よりも上方に窪ませた状態からなる段部を形成し、該段部において脚柱取付部と基板とを溶着する状態で脚柱取付部を基板に支持させるようにしたものである。
【考案の効果】
【００１２】
本考案によれば、先ず全体円筒状からなる脚柱取付部を、円筒管材の下端部の周部を外方に張り出すようにしてフランジ部を備えるようにして形成し、一方全体平板状からなる基板は、中心部に立設状態で支持する脚柱取付部を、基板の中心部に前記脚柱取付部の上方の円筒管材部分を下方より内挿可能とする挿通孔を備えることとし、さらに基板の下面における挿通孔の周部は、挿通孔に挿通された脚柱取付部の円筒管材部分の下端部に形成されたフランジ部を嵌入可能とし、床面に対して密接させ、支持可能とされる周部よりも上方に窪ませた状態からなる段部を形成し、該段部において脚柱取付部と基板とを溶着する状態で脚柱取付部を基板に支持させるようにした。この結果、基板の周部下面を床面に密接させ、支持させた基板の床面に対する取着状態において、脚柱取付部の下端のフランジ部は、基板と床面との間における段部に嵌入され、該段部において脚柱取付部と基板とを溶着する状態で脚柱取付部を基板に支持されるため、万一この部分において溶接不良が存在し、基板と脚柱取付部の溶着が解除されても、フランジ部は床面と基板下面の段部間に位置決めされる状態となる。よって、脚柱取付部の基板に対する接続性能を向上させ、万一脚柱取付部と基板との間の接続状態に不良が生じた場合でも、椅子に座る人の安全を図ることができるという効果がある。
【図面の簡単な説明】
【００１３】
【図１】本考案の実施形態に係る椅子の脚柱構造を示し、椅子を床面に支持させた状態を示す斜視図である。
【図２】脚柱取付部を基板に対し支持する状態を示す斜視図である。
【図３】床面に支持された基板に対し、椅子の脚柱部分を内挿し、支持する状態を示す斜視図である。
【図４】脚柱取付部を基板に対し支持させた状態を示す基板の縦断面図である。
【図５】図１のＶ−Ｖ線に沿う拡大断面図である。
【図６】従来の椅子の脚部構造を示す斜視図である。
【図７】床面に支持された基板に対し、椅子の脚柱部分を内挿し、支持する状態を示す斜視図である。
【図８】図６のＶＩＩＩ−ＶＩＩＩ線に沿う断面図である。
【図９】基板に対し、接続される脚柱取付部が、基板から脱落した状態を示す断面図である。
【考案を実施するための形態】
【００１４】
以下、本考案の実施形態を図１ないし図５に基づいて説明する。実施形態に係る椅子１１は、全体平板状からなる円板状の基板１２を床面１３に植設し、支持させてなり、この基板１３の上面中心部に立設状態で支持される脚柱取付部１４に対し、椅子１０の下面に備えられる脚柱１５の下端を上部より内挿し、支持させるようにしている。
【００１５】
ここで全体円板状をなす基板１２は、周部下面を床面１３に密着させるとともに、該周部に形成されたボルト挿通孔１６に植設ボルト１７を挿通し、該ボルト１７を床面１３に螺着し、支持させるようにしている（図１，図５参照）。
【００１６】
脚柱取付部１４は、平面円形をなす基板１２の中心部上面に立設される状態の全体円筒形状からなり、図２に示すように円筒管材１４Ａの下端部の周部を外方に張り出すようにして絞り加工し、該下端部においてフランジ部１４Ｂを形成するようにしている。
【００１７】
一方全体平板状からなり、平面円形をなす基板１２は、中心部に脚柱取付部１４の上方の円筒管材１４Ａ部分を、下方より矢印Ｃに示すように内挿可能とする挿通孔１９を形成してなる（図２参照）。
【００１８】
さらに基板１２の下面における挿通孔１９の周部には、挿通孔１９に挿通された脚柱取付部１４の円筒管材１４Ａの下端部に形成されたフランジ部１４Ｂを嵌入可能とし、床面１３に対して密接させ、支持可能とされる周部よりも上方に窪ませた状態からなる段部２０が形成される。すなわち、該段部２０の部分において、フランジ部１４Ｂは、基板１２の下面における挿通孔１９の同部に嵌入可能とされ、この部分において脚柱取付部１４は、基板１２との間で溶着する状態とされる。
【００１９】
こうして形成され、基板１２に対して一体に支持される脚柱取付部１４は、前記のように基板１２をボルト挿通孔１６に挿通された植設ボルト１７で床面１３に螺着されることで床面１３に対して植設し、支持されることとなる。
【００２０】
こうして形成され、床面１３に支持される基板１２においては、万一基板１３とフランジ部１４Ｂとの間の溶着部分１８において、溶接不良が存在し、基板１２と脚柱取付部１４の溶着が解除されても、フランジ部１４Ｂは、床面１３と基板１２の下面の段部２０間に挟まれるように位置決めされる状態となる。よって脚柱取付部１４の基板１２に対する接続性能を向上させ、万一脚柱取付部１３と基板１２との間の接続状態に不良が生じた場合でも、椅子１０に座る人の安全を図ることが可能となる。
【産業上の利用可能性】
【００２１】
以上のように、本考案に係る椅子の脚部構造は、椅子の脚部を支持する基板を、床面に植設するタイプの椅子に最適とされ、例えばパチンコ店、パチスロ店などに設置されるタイプの椅子に最適とされる。
【符号の説明】
【００２２】
１，１１      椅子
２，１２      基板
３，１３      床面
４，１４      脚柱取付部
１４Ａ        円筒管材
１４Ｂ        フランジ部
５，１５      脚柱
６，１６      ボルト挿通孔
７，１７      植設ボルト
８，１８      溶着部分
１９          挿通孔
２０          段部
【図１】
0003155814.tif 000003
【図２】
0003155814.tif 000004
【図３】
0003155814.tif 000005
【図４】
0003155814.tif 000006
【図５】
0003155814.tif 000007
【図６】
0003155814.tif 000008
【図７】
0003155814.tif 000009
【図８】
0003155814.tif 000010
【図９】
0003155814.tif 000011